(57)【要約】【課題】  カメラとの複数の電気通信手段に対応した交換レンズにおいて、カメラ側の通信手段の種別に対応して交換レンズ側の通信手段を限定し、ユーザの電気的な誤接続を防止することが可能なレンズ装置を提供する。【解決手段】  レンズ装置は、可動光学要素を含み、該可動光学要素を電動駆動する駆動部が着脱可能であり、カメラのマウント部と着脱可能なレンズ装置であって、接続するカメラのマウント部を介して、該カメラと電気通信可能なマウントコネクタ部と、前記マウントコネクタ部と電気通信可能であり、且つ前記駆動部と電気通信可能なコネクタ部と、前記コネクタ部を前記レンズ装置に固定するコネクタ固定部と、を有し、前記コネクタ固定部は、前記コネクタ部が外装面に露出した露出状態または前記コネクタ部が前記外装面に露出しない収納状態を選択して前記コネクタ部を固定することが可能な構造を有する、ことを特徴とする。【選択図】  図４
2015200718.tif 000002
【特許請求の範囲】
【請求項１】
可動光学要素を含み、該可動光学要素を電動駆動する駆動部が着脱可能であり、カメラのマウント部と着脱可能なレンズ装置であって、該レンズ装置は、
接続するカメラのマウント部を介して、該カメラと電気通信可能なマウントコネクタ部と、
前記マウントコネクタ部と電気通信可能であり、且つ前記駆動部と電気通信可能なコネクタ部と、
前記コネクタ部を前記レンズ装置に固定するコネクタ固定部と、
を有し、
前記コネクタ固定部は、前記コネクタ部が外装面に露出した露出状態または前記コネクタ部が前記外装面に露出しない収納状態を選択して前記コネクタ部を固定することが可能な構造を有する、
ことを特徴とするレンズ装置。
【請求項２】
カメラのマウント部と着脱可能なレンズ装置は、
可動光学要素を有するレンズ鏡筒部と、
前記レンズ鏡筒部に着脱可能であり、前記可動光学要素を駆動する駆動手段を有する駆動部と、
を有し、
前記レンズ鏡筒部は、接続する前記カメラの前記マウント部を介して、前記カメラと電気通信可能なマウントコネクタ部と、前記マウントコネクタ部と電気通信可能であり、且つ前記駆動部と電気通信可能なコネクタ部と、前記コネクタ部を前記レンズ鏡筒部に固定するコネクタ固定部と、を有し、
前記コネクタ固定部は、前記コネクタ部が外装面に露出した露出状態または前記コネクタ部が外装面に露出しない収納状態を選択して前記コネクタ部を固定することが可能な構造を有する、
ことを特徴とするレンズ装置。
【請求項３】
前記コネクタ固定部は、前記コネクタを複数の姿勢で固定可能な構成を有することを特徴とする請求項１または２に記載のレンズ装置。
【請求項４】
前記コネクタ部は、前記レンズ鏡筒部への固定位置を変更可能なことを特徴とする請求項１乃至３のいずれか１項に記載のレンズ装置。
【請求項５】
前記コネクタ部は中間部材に固定され、該中間部材が前記コネクタ固定部に対して位置を変えて固定可能な構成を有する、ことを特徴とする請求項１乃至４のいずれか１項に記載のレンズ装置。 
【請求項６】
前記コネクタ固定部は、中空部と、該中空部から外装面外側に貫通する開口部と、前記中空部に前記中間部材に設けられた長穴を介して固定する固定部と、を有し、
前記露出状態では、前記コネクタ部を前記開口部から外装面外側に露出させた状態で前記固定部に固定し、前記収納状態では、前記コネクタ部を前記開口部から前記中空部に収納した状態で前記固定部に固定すると共に、閉塞部材によって前記開口部を塞ぐ、
ことを特徴とする請求項５に記載のレンズ装置。
【請求項７】
前記中間部材は、前記収納状態においては前記開口部を塞ぐ部材を兼ねる構成を有する、ことを特徴とする請求項５に記載のレンズ装置。
【発明の詳細な説明】
【技術分野】
【０００１】
本発明はレンズ装置、特に電動操作ユニットを備えたレンズ装置に関するものである。
【背景技術】
【０００２】
テレビカメラ等に交換可能に装着される小型のレンズ装置は、一般にフォーカスリングやズームリング、アイリスリングの各種操作リングを備えている。ユーザ（カメラマン）はこれらの操作リングを回転操作することでフォーカス位置やズーム倍率、アイリスの値等を調整している。レンズの操作形態には、ユーザ自身が直接手で操作リングを把持し回転操作する方法（手動操作）や、レンズに着脱可能または固定的に取り付けられた電動操作ユニットを電気的に駆動して操作リングを回転させる方法（電動操作）がある。上記電動操作ユニットはユニット内部に操作リングとギア連結する駆動モータを備えている。電動操作ユニットは外部に備えられた各種スイッチの操作及びカメラからの制御信号により、駆動モータを所定量駆動させることでレンズの各操作リングを回転させることが可能となっている。また、電動操作ユニットはカメラと電気信号の通信が可能となっており、モータ駆動用の電源や自動アイリス調整用の制御信号、レンズの位置情報等の電気信号のやりとりを行っている。
【０００３】
電動操作ユニットとカメラとの通信方法は、カメラ本体に備えられたコネクタに電動操作ユニットから延出されたケーブルを接続する方法や、カメラとレンズのマウント部にそれぞれ設けられた電気接点部を介して通信する方法等が知られている。
【０００４】
例えば特許文献１では、電動操作ユニット内部から外部へ延出されたケーブルを備え、カメラ本体に設けられたコネクタへケーブルを接続することで電動操作ユニットとカメラの電気信号の通信が可能なレンズ装置が開示されている。また、従来技術として電動操作ユニットと電気的に接続されたレンズマウントの電気接点がカメラマウントの電気接点と接続することで電気信号の通信が可能なレンズ装置が広く知られている。
【先行技術文献】
【特許文献】
【０００５】
【特許文献１】特許２７７３２３０号公報
【発明の概要】
【発明が解決しようとする課題】
【０００６】
近年様々な種類のカメラが登場し、カメラの仕様によってレンズ装置との通信方法が異なるケースが増えている。具体的には、レンズとカメラそれぞれに設けられたマウントに設けられた電気接点で通信を行う場合や、マウント電気接点を持たず電動操作ユニットのケーブルを直接カメラの端子に接続してそのケーブルのみで通信を行う場合、マウント電気接点とケーブルの両方を用いて通信を行う場合などが存在している。
【０００７】
特許文献１に開示された技術や上述の従来技術のレンズ装置では、カメラとレンズとの通信手段が一つの仕様に限定されているため、通信仕様の異なるカメラに対応することができていない。
【０００８】
そのため、近年の交換レンズには種々のカメラ仕様に対応するために、カメラとの複数の電気通信手段を備えていることが求められている。
【０００９】
しかしながら、交換レンズが複数の電気通信手段に対応した接続手段を備えた場合、ユーザがカメラ側で対応していない電気通信手段にレンズ側の電気通信部を誤って接続してしまい、撮影時に所望の電動操作が行えない場合があるという課題がある。具体的には、カメラ側が備えている電気通信手段の通信容量が小さく電動操作を行うには十分でないために、レンズ側の所望の電気的性能を満足できないという場合などがある。
【００１０】
そこで本発明の目的は、カメラとの複数の電気通信手段に対応した交換レンズにおいて、カメラ側の電気通信手段の種別に対応して交換レンズ側の電気通信手段を限定し、ユーザの電気的な誤接続を防止することが可能なレンズ装置を提供することである。
【課題を解決するための手段】
【００１１】
上記目的を達成するために本発明のレンズ装置は、可動光学要素を含み、該可動光学要素を電動駆動する駆動部が着脱可能であり、カメラのマウント部と着脱可能なレンズ装置であって、接続するカメラのマウント部を介して、該カメラと電気通信可能なマウントコネクタ部と、前記マウントコネクタ部と電気通信可能であり、且つ前記駆動部と電気通信可能なコネクタ部と、前記コネクタ部を前記レンズ装置に固定するコネクタ固定部と、を有し、前記コネクタ固定部は、前記コネクタ部が外装面に露出した露出状態または前記コネクタ部が前記外装面に露出しない収納状態を選択して前記コネクタ部を固定することが可能な構造を有する、ことを特徴とする。
【発明の効果】
【００１２】
本発明によれば、カメラとの複数の電気通信手段に対応した交換レンズにおいて、カメラ側の電気通信手段の種別に対応して交換レンズ側の電気通信手段を限定し、ユーザの電気的な誤接続を防止することが可能なレンズ装置を提供することができる。
【図面の簡単な説明】
【００１３】
【図１】第１の実施例におけるレンズ装置の上面図
【図２】第１の実施例におけるレンズ装置の後面図
【図３】第１の実施例における鏡筒部の部分斜視図
【図４】第１の実施例におけるマウント接続の場合のメカクシ板を外した際のレンズ装置１の後面要部拡大図
【図５】第１の実施例におけるマウント接続の場合のレンズ装置１の側面要部拡大図
【図６】第１の実施例におけるマウント接続の場合のコネクタ７４にケーブル３１を装着した際のレンズ装置の後面要部拡大図
【図７】第１の実施例におけるケーブル接続の場合のメカクシ板７７を外した際のレンズ装置の後面要部拡大図
【図８】第１の実施例におけるケーブル接続の場合のレンズ装置の側面要部拡大図
【図９】第２の実施例における、マウント接続の場合のメカクシ板７７を外した際のレンズ装置の後面要部拡大図
【図１０】第２の実施例における、ケーブル接続の場合のメカクシ板７７を外した際のレンズ装置の後面要部拡大図
【図１１】第３の実施例における、マウント接続の場合のメカクシ板７７を外した際のレンズ装置の後面要部拡大図
【図１２】第３の実施例における、ケーブル接続の場合のメカクシ板７７を外した際のレンズ装置の後面要部拡大図
【発明を実施するための形態】
【００１４】
以下に、本発明の好ましい実施の形態を、添付の図面に基づいて詳細に説明する。
【実施例１】
【００１５】
以下、図１から図８を用いて本発明のレンズ装置の第１の実施例における詳細な説明を行う。
【００１６】
図１は、本発明の第１の実施例におけるレンズ装置１の上面図、図２は後面図、図３は鏡筒部７３の部分斜視図である。なお、今後の説明のために図１に示す矢印Ａの方向を光軸と定義する。
【００１７】
はじめに、図１〜３を用いてレンズ装置１の基本構成について説明を行う。
レンズ装置１は、フォーカスレンズ、ズームレンズ、アイリス等の可動光学要素を含むレンズ本体２と後述の各種操作リングを電動駆動するための電動操作ユニット（駆動部）３から構成される。レンズ本体２の外装部にはフォーカスリング４、ズームリング５及びアイリスリング６の各種操作リングと、カメラとの機械的及び電気的な接続が可能なマウント部７が設けられている。
【００１８】
フォーカスリング４、ズームリング５はレンズ本体２の内部に備えられた不図示の移動光学系と連結されており、リングの回転によって移動光学系を光軸方向に移動させ、焦点距離調整及び物体距離調整が可能となっている。同様にアイリスリング６は、レンズ本体２内部の絞り調整機構と連結され、リングの回転によって絞り開口径の調整が可能となっている。また、フォーカスリング４、ズームリング５、アイリスリング６は、電動操作ユニット３と結合可能なギア４１、５１、６１を備えている。
【００１９】
電動操作ユニット３はレンズ本体２に複数のネジで着脱可能に固定され、内部にはフォーカス、ズーム、アイリス駆動用モータ及び各操作リングの回転位置を検出する位置検出手段がそれぞれ内蔵されている。各駆動用モータはギア伝達機構を介してフォーカスリング４のギア４１、ズームリング５のギア５１及びアイリスリング６のギア６１とそれぞれ噛み合っている。電動操作ユニット３の外装部には各種スイッチ類が備えられておりそれぞれのスイッチを操作することで内部のモータを駆動し、レンズ本体２の各操作リングを回転駆動することが可能となっている。また電動操作ユニット３には、駆動用モータとギア伝達機構との結合を解除するクラッチ機構及びモータ等の制御や制御に必要なプログラムを記録している電気基板、後述のレンズ本体内部の変換基板と電気的な接続が可能な電気接点等が内部に収納されている。電動操作ユニット３からは内部の電気基板と電気的に接続されたケーブル３１が外部に延出しており、カメラに電気的に接続することで電動操作ユニットの駆動電源の受給や、レンズの位置情報及びカメラ情報等の電気信号を相互に通信可能になっている。
【００２０】
次に、レンズ本体２のマウント部７について説明する。マウント部７はカメラのマウント部と着脱が可能なレンズマウント７１、レンズマウント７１に備えられた電気接点部７２（マウントコネクタ部）、結像光学系を内部に備えた鏡筒部７３から構成されている。
【００２１】
電気接点部７２は、レンズマウント７１がカメラマウントとメカ的に接続するとカメラ側の電気接点部と電気的に接触し、ケーブル３１と同様にレンズ・カメラ間の電気信号の通信を行うことが可能となっている。鏡筒部７３は内部に光学系を備えている他に、図３に示すように後述するコネクタ７４を鏡筒部７３に対して固定するためのコネクタ固定部７３Ａを有し、コネクタ固定部７３Ａは、中空部７３１及び該中空部７３１から外装面外側に貫通する開口部７３２を有する。また、内部にはネジ穴が形成された複数のボス７３３、後述するコネクタ７４からの配線をレンズ装置の内部に通す穴７３４が空いている。中空部７３１、開口部７３２の座面にはそれぞれネジ穴が設けられており、中空部７３１にはメカクシ板７７（閉塞部材）、開口部７３２には後述のコネクタ固定板金７５またはメカクシ板７９（閉塞部材）（図８）がネジにより固定可能となっている。
【００２２】
その他に鏡筒部７３にはマウント電気接点７２から延びた配線を通す不図示の配線経路、マウント電気接点７２からの配線を接続し各種信号に変換する不図示の変換基板が備えられている。コネクタ固定板金７５（中間部材）には、変換基板と電気的に接続され電動操作ユニット３のケーブル３１と接続可能なコネクタ７４が固定されている。
【００２３】
以上が、本実施例のレンズ装置１の基本構成である。
【００２４】
次に、カメラの種々の電気仕様に対応した場合のレンズ装置１の詳細構造について説明する。
【００２５】
まず、図４から図６を参照しながら、レンズ装置とカメラとの電気通信がマウント電気接点だけで満足する場合（以後、「マウント接続」と呼ぶ）のレンズ装置１について説明する。
【００２６】
図４は図２のメカクシ板７７を外した時の鏡筒部７３（コネクタ固定部７３Ａ）の様子を示した要部拡大図である。図５は図４の側面図である。図４に示すようにコネクタ７４はコネクタ固定板金７５にナット７６にて固定され、コネクタ固定板金７５が複数のネジによりコネクタ固定部７３Ａの開口部７３２のネジ穴に固定されることで、鏡筒部７３（コネクタ固定部７３Ａ）の外部に電気接点部が露出するようになっている（露出状態）。コネクタ７４からは配線７８が出ており、鏡筒部７３内部に貫通する穴７３４からレンズ本体内部に挿入され不図示の変換基板に接続されることでマウント電気接点７２と電気的に接続されている。以上が、マウント接続でのレンズ装置１の詳細構造である。
【００２７】
マウント接続でユーザが電動操作を行う場合、まず図６で示すように電動操作ユニット３から延出されたケーブル３１のケーブルコネクタ部３１１を鏡筒部７３（コネクタ固定部７３Ａ）のコネクタ７４に接続する。すると、電動操作ユニット３とマウント電気接点７２が電気的に接続されることとなり、マウント電気接点７２を介してカメラと電動操作ユニット３の駆動電源の受給や、レンズ及びカメラ情報等の電気信号を相互に電気通信可能となる。
【００２８】
なお、実使用時にはメカクシ板７７をコネクタ固定部７３Ａの中空部７３１を塞ぐようにネジ固定することで鏡筒部７３の内部は見えないようになっている。
【００２９】
以上のような構成とすることで、コネクタ７４の電気接点部がレンズ本体２の外部に露出されているため、ユーザは電動操作ユニットのケーブル３１をコネクタ７４に接続可能である。
【００３０】
なおマウント接続では、鏡筒部に設けられたコネクタ７４にケーブル３１を接続した場合を説明したが、カメラ本体に別に設けられている電気通信コネクタあるいは外部電源がある場合は、そちらにケーブル３１を接続しても構わない。
【００３１】
次にレンズ装置とカメラとの電気的な通信がマウント電気接点だけでは不十分な場合（以下、「ケーブル接続」と呼ぶ）のレンズ装置１について図７から図８を用いて説明する。ケーブル接続は、カメラ側にマウント電気接点がない、あるいはマウント電気接点を備えているものの電気接点の電力容量が小さく電動操作ユニットを駆動するだけの電源供給を行えない場合等が該当する。ユーザがこの状態のままマウント電気接点のみの通信で電動操作を行おうとした場合、レンズ装置の所望の電気的性能を満足することができない。したがって、ユーザが電動操作を行うためにはカメラのマウント電気接点以外に設けられた別の電気通信コネクタ部もしくは外部電源に電動操作ユニット３のケーブル３１を接続し電気通信を行う必要がある。
【００３２】
図７はケーブル接続でのメカクシ板７７を外した状態のレンズ装置１の後面部分拡大図、図８は図７の側面図である。図７に示すようにケーブル接続では、コネクタ固定板金７５がネジによりコネクタ固定部７３Ａの中空部７３１内のボス７３３に固定され（図４）、鏡筒部７３の内部（コネクタ固定部７３Ａの中空部７３１内）に完全に収納されるようになっている（収納状態）。配線７８はマウント接続と同様に、鏡筒部７３内部（コネクタ固定部７３Ａ）に空いた穴７３４からレンズ本体内部に挿入されており不図示の変換基板に接続されている。鏡筒部７３の側面の開口部７３２には図８で示すようにメカクシ板７９がネジ締めされ開口部７３２を塞いでいる。最後にメカクシ板７７を中空部７３１にネジ固定することでコネクタ固定部７３Ａの内部を見えないようにする。以上が、ケーブル接続でのレンズ装置１の詳細構造である。
【００３３】
ケーブル接続でユーザが電動操作を行う場合、電動操作ユニット３から延出されたケーブル３１のケーブルコネクタ部３１１をカメラのマウント電気接点以外に設けられた別の電気通信コネクタ部もしくは外部電源に接続する。すると、電動操作ユニット３を駆動するための電力をマウント電気接点７２以外から受けることが可能となるため、所望の電動操作が可能となる。ケーブル接続では、コネクタ固定部７３Ａの開口部７３２はメカクシ板７７で塞がれていてコネクタ７４は配置されていないので、ユーザが誤ってケーブルコネクタ部３１１をコネクタ７４に接続してしまい、所望の駆動ができないという危険性を未然に排除することができる。一方、カメラとマウント部で接続しているマウント電気接点７２は、不図示の変換基板を介して電動操作ユニットに別に設けられた不図示の電気接点部と通信可能となっており、レンズの位置情報及びカメラからの制御信号等の電気信号を通信している。そのためカメラ以外の外部電源を使用した場合においてもカメラとの電気通信が確保される仕様となっている。
【００３４】
以上のような構成とすることで、コネクタ７４はレンズ装置２の内部に収納されているため、電動操作ユニットのケーブル３１を接続することが不可能となる。そのため、ユーザがマウント電気接点から電動操作ユニットの駆動電力を受けようとする誤接続を防止可能になっている。
【００３５】
最後に、カメラの仕様に合わせてレンズ装置１の電気仕様をマウント接続からケーブル接続へ改造する場合について説明する。逆の場合については詳細な説明を割愛するが、以下に述べる方法の逆手順を踏むことで同様に改造が可能である。
【００３６】
はじめにコネクタ固定板金７５を固定している複数のネジを外す。次にコネクタ固定部７３Ａの中空部７３１内部にコネクタ固定板金７５を移動しコネクタ固定部７３Ａ内部に収納する。その後コネクタ固定板金７５をボス７３３にネジ固定する。最後に中空部７３１、開口部７３２にメカクシ板７７、７９をそれぞれネジ締めし、中空部７３１、開口部７３２を塞ぐ。
【００３７】
以上のようにすることでレンズ性能に影響を与えることなく、コネクタ固定板金７５を複数の姿勢から固定姿勢（固定位置）を選択しコネクタ固定部７３Ａ（鏡筒部７３）に対して固定可能とすることにより、またコネクタ部の電気的な接続を変更することなくレンズ装置１の電気仕様を変更することが可能である。
【００３８】
以上本実施例で述べたようにレンズ本体２に構成されているコネクタ７４をカメラ側のマウント電気接点の仕様に合わせて外部に露出または内部に収納するよう構成可能としたため、ユーザに対して、電動操作ユニットの電気接続方法が明確化される。そのため、ユーザが電動操作の不可能な電気通信部に電動操作ユニットのケーブルを誤接続することを防止することができる。また、レンズ装置の電気通信仕様の変更はコネクタ固定板金の固定位置を変更するだけで容易に変更可能なため、改造時のサービス性に優れている。
【実施例２】
【００３９】
以下、図９〜１０を用いて本発明の第２の実施例における詳細な説明を行う。
図９は本実施例におけるマウント接続でのコネクタ固定部７３Ａからメカクシ板７７を外した際の後面部分拡大図、図１０は本実施例におけるケーブル接続でのコネクタ固定部７３Ａからメカクシ板７７を外した際の後面部分拡大図である。
【００４０】
なお、本実施の形態では第１の実施例と異なる部分についてのみ説明を行い、その他の同一部分については同一の符号を付し説明を省略する。
【００４１】
本実施例でのコネクタ固定板金８（中間部材）は、Ｌ字形状をしておりＬ字の一方の平面部８１は開口部７３２側、もう一方の平面部８２側は鏡筒部７３のボス７３３の座面と平行になるように折り曲げられている。そして平面部８１にはコネクタ７４が固定可能になっており、平面部８２にはネジ締結部に長穴８３が形成されている。そのため、コネクタ固定板金８をコネクタ固定部７３Ａに固定しているネジの締結を緩めた状態ではコネクタ固定板金８を長穴８３に沿ってスライドすることが可能となっている。
【００４２】
マウント接続の場合（マウント電気接点のみで電気通信を行う場合）では、コネクタ７４の電気接点部が鏡筒部７３（コネクタ固定部７３Ａ）の外部に露出するようコネクタ固定板金８を長穴８３内でスライドさせ固定する。
【００４３】
一方、ケーブル接続（マウント電気接点以外でも電気通信を行う場合）の場合にはコネクタ７４を開口部７３２から離す方向にコネクタ固定板金８を長穴８３内でスライドさせ固定する。その後、コネクタ固定板金８を固定後に開口部７３２へメカクシ板７９をネジ固定する。
【００４４】
以上のような構成とすることで、第一の実施例と同様の効果を得られる他に、第一の実施例と比較してレンズ装置１の電気仕様の改造がより容易に可能となっている。
【実施例３】
【００４５】
以下、図１１〜１２を用いて本発明の第３の実施例における詳細な説明を行う。
図１１は本実施例におけるマウント接続でのコネクタ固定部７３Ａからメカクシ板７７を外した際の後面部分拡大図、図１２は本実施例におけるケーブル接続でのコネクタ固定部７３Ａからメカクシ板７７を外した際の後面部分拡大図である。
【００４６】
なお、本実施の形態では第１、第２の実施例と異なる部分についてのみ説明を行い、その他の同一部分については同一の符号を付し説明を省略する。
【００４７】
本実施例でのコネクタ固定板金９（中間部材）は、Ｌ字形状をしておりＬ字の一方の平面部９１にコネクタ７４を固定可能になっている。またコネクタ固定板金９のＬ字形状の平面部９１、９２にはそれぞれ鏡筒部７３（コネクタ固定部７３Ａ）の開口部７３２のネジ固定に合わせたネジ穴が設けられている。平面部９２はコネクタが固定できる構造ではない平板面であるので、平面部９２を開口部７３２にネジ固定した場合には、開口部７３２を塞ぐ蓋として機能する。
【００４８】
マウント接続の場合（マウント電気接点のみで電気通信を行う場合）では、コネクタ７４が固定された平面部９１をコネクタ固定部７３Ａの開口部７３２に突き当てた状態でネジ固定を行い、コネクタ７４の電気接点部を鏡筒部７３（コネクタ固定部７３Ａ）の外装面に露出させる。
【００４９】
一方、ケーブル接続（マウント電気接点以外でも電気通信を行う場合）の場合には平面部９２をコネクタ固定部７３Ａの開口部７３２に突き当てた状態でネジ固定を行い、コネクタ７４を中空部７３１内部に収納する。本実施例では、ケーブル接続の場合、開口部７３２はコネクタ固定板金（Ｌ字板金）９の平面部９２によって塞がれている。
【００５０】
以上のような構成とすることで、第１の実施例と同様の効果を得られる他に、第１の実施例と比較して交換レンズの電気仕様の変更時に開口部７３２を塞ぐためのメカクシ板７９を構成する必要がなくなるため、構成部品を削減することが可能となる。
【００５１】
以上、本発明の好ましい実施形態について説明したが、本発明はこれらの実施形態に限定されず、その要旨の範囲内で種々の変形及び変更が可能である。
【符号の説明】
【００５２】
１：レンズ装置
２：レンズ本体
７：マウント部
７１：レンズマウント
７２：電気接点部
７３Ａ：コネクタ固定部
７４：コネクタ
【図１】
2015200718.tif 000003
【図２】
2015200718.tif 000004
【図３】
2015200718.tif 000005
【図４】
2015200718.tif 000006
【図５】
2015200718.tif 000007
【図６】
2015200718.tif 000008
【図７】
2015200718.tif 000009
【図８】
2015200718.tif 000010
【図９】
2015200718.tif 000011
【図１０】
2015200718.tif 000012
【図１１】
2015200718.tif 000013
【図１２】
2015200718.tif 000014